(57)【要約】【課題】  メインスクリーンとサブスクリーンを含むディスプレイ装置に適用するバックライトユニットを提供する。【解決手段】  メインスクリーンとサブスクリーンを有するディスプレイ装置のバックライトユニットであって、前記ディスプレイ装置が前記サブスクリーンを用いる時、前記サブスクリーンに第一光を提供する第一発光ユニット、および第二発光ユニットを含み、前記ディスプレイ装置が前記メインスクリーンを用いる時、前記第一と前記第二発光ユニットは、それぞれ第二光と第三光を発し、前記第二光と前記第三光を含む第一集合光は、前記メインスクリーンに提供されるものとした。【選択図】      図３
2005250444.tif 000002
【特許請求の範囲】
【請求項１】
メインスクリーンとサブスクリーンを有するディスプレイ装置のバックライトユニットであって、
前記ディスプレイ装置が前記サブスクリーンを用いる時、前記サブスクリーンに第一光を提供する第一発光ユニットと、および第二発光ユニットとを含み、
前記ディスプレイ装置が前記メインスクリーンを用いる時、前記第一発光ユニットと前記第二発光ユニットとは、それぞれ第二光と第三光とを発し、
前記第二光と前記第三光を含む第一集合光が前記メインスクリーンに提供されることを特徴とするバックライトユニット。
【請求項２】
前記第一発光ユニットと前記第二発光ユニットとは、それぞれ第一電圧と第二電圧とによって駆動され、
前記第一発光ユニットは、前記ディスプレイ装置が前記サブスクリーンを用いる時、前記第一電圧に接続されて前記第一光を発し、
前記第一発光ユニットと前記第二発光ユニットとは、前記ディスプレイ装置が前記メインスクリーンを用いる時、それぞれ第一電圧と第二電圧とに接続されて、前記第一集合光を発する請求項１に記載のバックライトユニット。
【請求項３】
前記第一発光ユニットは、直列接続した複数のメイン発光ダイオードを含み、前記第二発光ユニットは、直列接続した複数のサブ発光ダイオードを含む請求項１に記載のバックライトユニット。
【請求項４】
前記第一発光ユニットと前記第二発光ユニットとは、前記ディスプレイ装置が前記サブスクリーンを用いる時、それぞれ、前記第一光と、前記第三光より低い光度である第四光と、を発する請求項１に記載のバックライトユニット。
【請求項５】
前記第一発光ユニットは、前記サブスクリーンと前記メインスクリーンの第１部に対応し、
前記第二発光ユニットは、前記メインスクリーンの第２部に対応する請求項１に記載のバックライトユニット。
【請求項６】
前記ディスプレイ装置は、前記サブスクリーンを用いることを示す第一信号を受けた時、前記第一発光ユニットを駆動し、前記ディスプレイ装置が前記メインスクリーンを用いることを示す第二信号を受けた時、前記第一と前記第二発光ユニットを駆動するコントロールユニットを更に備える請求項１に記載のバックライトユニット。
【請求項７】
メインスクリーンと、
前記メインスクリーンに向かい合って設置されるサブスクリーンと、
第一発光ユニットと、
第二発光ユニットと、および
前記第一発光ユニットと前記第二発光ユニットとをコントロールするコントロールユニットとを含み、
前記サブスクリーンを用いる時、前記コントロールユニットが前記第一発光ユニットを駆動し、前記サブスクリーンに第一光を発し、且つ、
前記メインスクリーンを用いる時、前記コントロールユニットが前記第一発光ユニットと前記第二発光ユニットを駆動し、それぞれ第二光と第三光を発し、前記第二光と前記第三光を含む第一集合光が前記メインスクリーンに提供されるようにされていることを特徴とするディスプレイ装置。
【請求項８】
前記第一発光ユニットと前記第二発光ユニットとは、それぞれ第一電圧と第二電圧によって駆動され、
前記第一発光ユニットは、前記ディスプレイ装置が前記サブスクリーンを用いる時、前記第一電圧に接続され、前記第一光を発し、
前記第一発光ユニットと前記第二発光ユニットとは、前記ディスプレイ装置が前記メインスクリーンを用いる時、それぞれ第一電圧と第二電圧に接続され、前記第一集合光を発する請求項７に記載のディスプレイ装置。
【請求項９】
前記第一発光ユニットは、直列接続した複数のメイン発光ダイオードを含み、前記第二発光ユニットは、直列接続した複数のサブ発光ダイオードを含む請求項７に記載のディスプレイ装置。
【請求項１０】
前記第一発光ユニットと前記第二発光ユニットとは、前記ディスプレイ装置が前記サブスクリーンを用いる時、それぞれ、前記第一光と、前記第三光より低い光度である前記第四光とを発する請求項７に記載のディスプレイ装置。
【請求項１１】
前記第一発光ユニットは、前記サブスクリーンと前記メインスクリーンの第１部に対応し、
前記第二発光ユニットは、前記メインスクリーンの第２部に対応する請求項７に記載のディスプレイ装置。
【請求項１２】
前記ディスプレイ装置が前記サブスクリーンを用いることを示す第一信号を前記コントロールユニットが受けた時、前記第一電圧は、前記第一発光ユニットに提供され、
前記ディスプレイ装置が前記メインスクリーンを用いることを示す第二信号を前記コントロールユニットが受けた時、前記第一電圧と前記第二電圧とは、それぞれ前記第一発光ユニットと前記第二発光ユニットに提供される請求項８に記載のディスプレイ装置。
【発明の詳細な説明】
【技術分野】
【０００１】
本発明は、バックライトユニットに関し、特に、メインスクリーンとサブスクリーンを有するディスプレイ装置のバックライトユニットに関するものである。前記バックライトユニットは、独立した回路を用いたサブスクリーンに対応した発光ダイオードを駆動し、電流消耗を減少する。
【背景技術】
【０００２】
液晶ディスプレイ（ＬＣＤ）は、例えば、携帯電話、デジタルカメラ、携帯用コンピュータ、および異なる明度の程度を提供する環境で用いられるその他の装置など、各種の電子装置に応用されている。適当なディスプレイの明度を提供するために、ＬＣＤパネルの近くに置かれるバックライト源が提供される。
【０００３】
現在、多くの携帯電話は、各側にメインスクリーンとサブスクリーンを備える折畳み式ディスプレイを有する。メインスクリーンは、折畳み式ディスプレイの上蓋の内側に設置され、メインメニューと関連情報を表示する。サブスクリーンは、折畳み式ディスプレイの外側に設置され、例えば、データや時間などの一般情報を表示する。一般的に、メインスクリーンとサブスクリーンは、それぞれ携帯電話の液晶モジュール内のバックライトユニットに設定された光源と導光板を有する。上述の携帯電話は、大量で過剰な電力消費の損失を受ける。
【０００４】
上述の問題を解決するために、発光ダイオード（ＬＥＤｓ）は、直列接続され、メインスクリーンとサブスクリーンに画像表示するバックライトユニットに一つの導光板が用いられる。図１は、直列の発光ダイオードを備えたバックライトユニットの概略図を示している。メインスクリーンＭＤ１とサブスクリーンＳＤ１は、相対的に置かれている。発光ダイオード１Ｂと１Ｃは、更にサブスクリーンＳＤ１に対応する。メインスクリーンＭＤ１とサブスクリーンＳＤ１が用いられている時、全ての発光ダイオード１Ａ〜１Ｄは、駆動され、発光する。即ち、メインスクリーンＭＤ１に対応する発光ダイオードと、サブスクリーンＳＤ１に対応するＬＥＤｓは、全て点灯される。
【０００５】
実際には、携帯電話が待機モードの時、上蓋のカバーが閉じられ、反対カバーの外側のサブスクリーンＳＤ１を見ることができる。その一方で、両方のスクリーンＭＤ１とＳＤ１に対応する発光ダイオード１Ｂと１Ｃと、メインスクリーンＭＤ１に対応する発光ダイオード１Ａと１Ｄは、全て駆動され、発光する。点灯された発光ダイオード１Ａと１Ｄは、不必要な電力消費を生じ、バッテリー寿命を減少させる。
【０００６】
また、並列接続した発光ダイオード２Ａ〜２Ｄは、図２に示されたようにバックライトユニットに提供される。発光ダイオード２Ａ〜２Ｄの電気抵抗が異なることから、その光度は、不均等で、バックライトユニットの不均一な光度と悪いディスプレイ品質をもたらす。
【発明の開示】
【発明が解決しようとする課題】
【０００７】
これに鑑みて、本発明の一つの目的は、メインスクリーンとサブスクリーンを含むディスプレイ装置に適用するバックライトユニットを提供する。バックライトユニットは、２つの独立した回路を通して、メインスクリーンに対応する発光ダイオードとサブスクリーンに対応する発光ダイオードをそれぞれ駆動する。
【課題を解決するための手段】
【０００８】
上述の目的に基づいて、本発明は、メインスクリーンとサブスクリーンを有するディスプレイ装置のバックライトユニットであって、前記ディスプレイ装置が前記サブスクリーンを用いる時、前記サブスクリーンに第一光を提供する第一発光ユニット、および第二発光ユニットを含み、前記ディスプレイ装置が前記メインスクリーンを用いる時、前記第一発光ユニットと前記第二発光ユニットとは、それぞれ第二光と第三光とを発し、前記第二光と前記第三光を含む第一集合光が前記メインスクリーンに提供されるものとした。
【０００９】
本発明のバックライトユニットは、第一発光ユニットと第二発光ユニットとは、それぞれ第一電圧と第二電圧とによって駆動され、第一発光ユニットは、前記ディスプレイ装置が前記サブスクリーンを用いる時、前記第一電圧に接続されて前記第一光を発し、前記第一発光ユニットと前記第二発光ユニットとは、前記ディスプレイ装置が前記メインスクリーンを用いる時、それぞれ第一電圧と第二電圧とに接続されて、前記第一集合光を発するようにすることが望ましい。
【００１０】
また、本発明のバックライトユニットは、第一発光ユニットが、直列接続した複数のメイン発光ダイオードを含み、第二発光ユニットが、直列接続した複数のサブ発光ダイオードを含むことが望ましい。そして、前記第一発光ユニットと前記第二発光ユニットとは、前記ディスプレイ装置が前記サブスクリーンを用いる時、それぞれ前記第一光と第四光とを発し、前記第三光の光度は、前記第四光のより低いものとすることが好ましく、さらに、前記第一発光ユニットは、前記サブスクリーンと前記メインスクリーンの第１部に対応し、前記第二発光ユニットは、前記メインスクリーンの第２部に対応するようにすることが好ましい。
【００１１】
本発明に係るバックライトユニットを備えるディスプレイ装置であれば、必要な電力消費を生じることなく、バッテリー寿命を長期化できる。その光度は均等であるので、バックライトユニットの均一な光度と良好なディスプレイ品質をもたらす。
【発明の効果】
【００１２】
本発明によれば、発光ダイオードの回路は、サブスクリーンに対応し、その他の回路は、それぞれ独自にコントロールされるため、サブスクリーンが画像表示を割り当てられた時、対応する発光ダイオードが点灯され、その他の発光ダイオードは点灯しない状態か、または小さい光度の光を発する状態となることからサブスクリーンに無関係の発光ダイオードに比較的少ない電圧が提供され、電力消費を減少し、待機時間を延長することができる。
【発明を実施するための最良の形態】
【００１３】
本発明についての目的、特徴、長所が一層明確に理解されるよう、以下に実施例を例示し、図面を参照にしながら、詳細に説明する。
【実施例】
【００１４】
図３は、本発明の液晶ディスプレイの概略図を示している。液晶ディスプレイは、シングルライトガイドと、メインスクリーンＭＤ３とサブスクリーンＳＤ３を含む２つのスクリーンを有する。メインスクリーンＭＤ３とサブスクリーンＳＤ３は、それぞれ液晶ディスプレイの内側と外側に設置されている。図３では、メインスクリーンＭＤ３の反対に配置されたサブスクリーンＳＤ３は、点線で表されている。バックライトユニットＵ３は、第一発光ユニットＴ１と第二発光ユニットＴ２を含む。第一発光ユニットＴ１は、直列接続した２つの発光ダイオード３Ｂと３Ｃを有し、発光ダイオード３Ｂの陰極は、発光ダイオード３Ｃの陽極に接続され、発光ダイオード３Ｃの陰極は、グランドに接地される。同様に、第二発光ユニットＴ２は、直列接続した２つの発光ダイオード３Ａと３Ｄを有し、発光ダイオード３Ａの陰極は、発光ダイオード３Ｄの陽極に接続され、発光ダイオード３Ｄの陰極は、グランドに接地される。発光ダイオード３Ａ〜３Ｄは、メインスクリーンＭＤ３に対応し、発光ダイオード３Ｂと３Ｃもまた、サブスクリーンＳＤ３に対応する。コントロールユニットＣ３の２つの出力端子は、それぞれ発光ダイオード３Ａと３Ｂの陰極に接続され、第一と第二発光ユニットＴ１とＴ２をコントロールする。尚、以上において「第１部」という用語は、メインスクリーンＭＤ３における第一発行ユニットＴ１（３Ｂ及び３Ｃ）に対応する部分を示し、「第２部」という用語は、メインスクリーンＭＤ３における第一発行ユニットＴ２（３Ａ及び３Ｄ）に対応する部分を示すものである。
【００１５】
サブスクリーンＳＤ３が画像表示に割り当てられたことを示す第一信号を受けた時、コントロールユニットＣ３は、発光ダイオード３Ｂの陽極に第一電圧を提供し、第一発光ユニットＴ１は、光をサブスクリーンＳＤ３に発する。メインスクリーンＭＤ３が画像表示に割り当てられたことを示す第二信号を受けた時、コントロールユニットＣ３は、発光ダイオード３Ｂと３Ａの陽極に、それぞれ第一電圧と第二電圧とを提供し、第一発光ユニットＴ１と第二発光ユニットＴ２とは、光を同時にメインスクリーンＭＤ３に発する。
【００１６】
更に、第一信号を受ける時、コントロールユニットＣ３は、第一電圧と第三電圧をそれぞれ発光ダイオード３Ｂと３Ａの陽極に提供する。第三電圧は、第一電圧より小さいため、第一発光ユニットＴ２の光度は、第二発光ユニットＴ１の光度より低い。
【００１７】
本発明では、発光ダイオードの回路は、サブスクリーンＳＤ３に対応し、その他の発光ダイオードの回路は、それぞれ独自にコントロールされる。サブスクリーンＳＤ３だけが画像表示を割り当てられた時、対応する発光ダイオード３Ｂと３Ｃが点灯され、その他の発光ダイオードは点灯しない状態か、または小さい光度の光を発する状態となる。したがって、サブスクリーンＳＤ３に無関係の発光ダイオードに比較的少ない電圧が提供され、電力消費を減少し、待機時間を延長する。
【００１８】
本発明では、直列発光ダイオードの第一発光ユニットＴ１と第二発光ユニットＴ２との数量は、制限なく、システムの要求に応じて決めることができる。
【００１９】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２０】
【図１】従来の携帯電話の折畳み式ディスプレイの直列発光ダイオードを備えたバックライトユニットの概略図。
【図２】従来の携帯電話の折畳み式ディスプレイの並列発光ダイオードを備えたバックライトユニットの概略図。
【図３】本発明の液晶ディスプレイの概略図。
【符号の説明】
【００２１】
ＳＤ１〜ＳＤ３  サブスクリーン
ＭＤ１〜ＭＤ３  メインスクリーン
Ｔ１  第一発光ユニット
Ｔ２  第二発光ユニット
１Ａ〜１Ｄ、２Ａ〜２Ｄ、３Ａ〜３Ｄ  発光ダイオード
Ｄ３  ディスプレイ装置
Ｕ３  バックライトユニット
Ｃ３  コントロールユニット
【図１】
2005250444.tif 000003
【図２】
2005250444.tif 000004
【図３】
2005250444.tif 000005